(57)【要約】      （修正有）【課題】超音波振動子を装着した超音波色ミスト発生部のボトル保持空間部にインクボトルを装着することにより、鮮明な粒子サイズのペイントが可能とする。【解決手段】背面支持部１の前面の上部に上部突出部１ａと下部突出部１ｂが形成され、上部突出部１ａと下部突出部１ｂの間にボトル保持空間部１ｃが形成され、ボトル保持空間部１ｃの前面に透明カバー２が装着され、上部突出部１ａにボトル保持空間部１ｃから上部に抜ける貫通孔１ｄが形成され、貫通孔１ｄの側部の背面支持部１の延長上にヘッド１ｅが突出され、ヘッド１ｅの上部の貫通孔１ｄ側に超音波振動子３が装着され、又、背面支持部１のヘッド１ｅのやや下方にスイッチ４が装着され、背面支持部１の下部突出部１ｂの下面から超音波振動子３とスイッチ４に接続されるコード５が引き出され、このコード５は発振回路及び電源が内蔵された発信装置６に接続されて超音波ミスト発生部７が形成されている。【選択図】図１
2008188481.tif 000002
【特許請求の範囲】
【請求項１】
背面支持部の上端に上部突出部を設け、下端に下部突出部を設け、前記上部突出部と前記下部突出部の間にボトル保持空間を形成し、該ボトル保持空間の前面に透明カバーを着脱自在に装着し、前記上部突出部に前記ボトル保持空間から上部に抜ける貫通孔を形成し、該貫通孔の側部の前記背面支持部の延長上に突出したヘッドを設け、該ヘッドの前記貫通孔側に超音波振動子を装着し、前記背面支持部にスイッチを装着した超音波色ミスト発生部と、所定の色のインクが充填され、回転によりフェルトの突出量を調節できる回転部材を口部に設けたインクボトルとからなり、該インクボトルを前記ボトル保持空間部に装着し、前記インクボトルのフェルトの先端を前記ヘッドの超音波振動子の超音波放射面の近傍に位置するように前記インクボトルのフェルト回転部材によってスライドさせて調整し、前記発振装置より前記超音波振動子に発振出力を印加して、前記インクボトルのフェルトに含まれるインクを超音波照射により吹き飛ばしてペイントすることを特徴とする超音波色ミスト発生器。
【発明の詳細な説明】
【技術分野】
【０００１】
本発明は、インクボトルを装着して、インクボトルのフェルトに含まれる色インクを超音波で霧化する超音波色ミスト発生器に関するものである。
【背景技術】
【０００２】
従来、この種の色ミスト発生器としては、缶にガスと色インクを封入し、缶の上部に装着したノズルからガスと色インクを噴出するようにしたエアーブラシが使用されており、このエアーブラシにより、紙等に噴出した色インクで絵や文字を書くようにしている。
【０００３】
しかしながら、このように構成された従来のエアーブラシでは、缶にインクとガスが封入されているため、噴出口を押すと、大量の色ミストが噴出されるので、大きな絵や文字を書くのには優れているが、微細な粒子サイズの絵や文字を書くのは不可能であるという問題がある。
【発明の開示】
【発明が解決しようとする課題】
【０００４】
解決しようとする問題点は、従来のエアーブラシでは、大きな絵や文字を書くのには優れているが、微細な粒子サイズの絵や文字を書くことは不可能であるという問題があった。
【課題を解決するための手段】
【０００５】
本発明では、超音波色ミスト発生部は、背面支持部の上端に上部突出部を設け、下端に下部突出部を設け、前記上部突出部と前記下部突出部の間にボトル保持空間を形成し、該ボトル保持空間の前面に透明カバーを着脱自在に装着し、前記上部突出部に前記ボトル保持空間から上部に抜ける貫通孔を形成し、該貫通孔の側部の前記背面支持部の延長上に突出したヘッドを設け、該ヘッドの前記貫通孔側に超音波振動子を装着し、前記背面支持部にスイッチを装着し、インクボトルは所定の色のインクが充填され、回転によりフェルトの突出量を調節できる回転部材を口部に設けてなり、該インクボトルを前記ボトル保持空間部に装着し、前記インクボトルのフェルトの先端を前記ヘッドの超音波振動子の超音波放射面の近傍に位置するように前記インクボトルのフェルト回転部材によってスライドさせて調整し、前記発振装置より前記超音波振動子に発振出力を印加して、前記インクボトルのフェルトに含まれるインクを超音波照射により吹き飛ばしてペイントするものである。
【発明の効果】
【０００６】
本発明の超音波色ミスト発生器では、超音波色ミスト発生部のボトル保持空間部にインクボトルを装着することにより、ヘッドの超音波振動子から照射された超音波でフェルトに含まれた水性インクをミスト化して噴射し、粒子サイズのペイントが可能となるという利点がある。
【発明を実施するための最良の形態】
【０００７】
本発明では、超音波振動子を装着した超音波色ミスト発生部のボトル保持空間部にインクインクボトルを装着することにより、鮮明な粒子サイズのペイントが可能となる。
【実施例】
【０００８】
図１は本発明の実施例の超音波色ミスト発生器の斜視図、図２は図１の超音波色ミスト発生器に装着されるインクボトルの斜視図、図３は超音波色ミスト発生器にインクボトルを装着した斜視図で、背面支持部１の前面の上部に上部突出部１ａと下部突出部１ｂが形成され、この上部突出部１ａと下部突出部１ｂの間にボトル保持空間部１ｃが形成され、ボトル保持空間部１ｃの前面に透明カバー２が装着され、上部突出部１ａにボトル保持空間部１ｃから上部に抜ける貫通孔１ｄが形成され、この貫通孔１ｄの側部の背面支持部１の延長上にヘッド１ｅが突出され、このヘッド１ｅの上部の貫通孔１ｄ側に超音波振動子３が装着され、又、背面支持部１のヘッド１ｅのやや下方に押すことによって超音波振動子３に発振出力が印加されるスイッチ４が装着され、背面支持部１の下部突出部１ｂの下面から超音波振動子３とスイッチ４に接続されるコード５が引き出され、このコード５は発振回路及び電源が内蔵された発信装置６に接続されて超音波ミスト発生部７が形成され、又、図２に示すように、インクボトル８の口部に回転部材９が装着され、この回転部材９を回転することにより、インクボトル８内のインクに浸されているフェルト１０の先端が適宜突出されるように構成されている。
【０００９】
このように構成された本実施例の超音波色ミスト発生器では、図３に示すようにら、背面支持部１のボトル保持空間１ｃの透明カバー２を外し、フェルト１０を上部突出部１ａの貫通孔１ｄから上部に挿入しながらインクボトル８をボトル保持空間１ｃに入れ、インクボトル８の回転部材９を回転して、フェルト１０の先端が超音波振動子３の超音波照射面３ａの前面にくるように調節し、ここでスイッチ４を押すと、発振装置６から発振出力が超音波振動子３に印加され、超音波振動子３から超音波が照射されることにより、インクボトル７のフェルト９に含まれている水性インクのミスト１１が噴射され、粒子サイズのペイントが可能となる。
【産業上の利用可能性】
【００１０】
なお、上記実施例において、超音波ミスト発生部７を広く形成して、複数本のインクボトルを挿入できるように構成し、複数のフェルトを貫通孔から超音波振動子の超音波の照射面に突出するようにすれば、複数の水性インクの混合ミストでペイントすることができる。
【図面の簡単な説明】
【００１１】
【図１】図１は本発明の実施例の超音波色ミスト発生器の斜視図である。
【図２】図２は図１の超音波ミスト発生部に装着するインクボトルの斜視図である。
【図３】図３は図１の超音波ミスト発生部にインクボトルを装着した斜視図である。
【符号の説明】
【００１２】
１              背面支持部
１ａ            上部突出部
１ｂ            下部突出部
１ｃ            ボトル保持空間部
１ｄ            貫通孔
１ｅ            ヘッド
２              透明カバー
３              超音波振動子  
４              スイッチ
５              コード
６              発振装置
７              超音波ミスト発生部
８              インクボトル
９              回転部材
１０            フェルト
１１            ミスト
【図１】
2008188481.tif 000003
【図２】
2008188481.tif 000004
【図３】
2008188481.tif 000005